(57)【要約】【課題】肥料の最適効率のための肥料性能予測法が記載される。【解決手段】コンピュータ化肥料性能分析を実行する方法は、クライアント・コンピュータに入力される複数のパラメータ請求を含む請求に基づく。次にルーチンが実行されて、この複数のパラメータ要求を分析する。このルーチンは、例えばプロバイダー・コンピュータ上にあってインターネットを介して配布されるソフトウェア・プログラム、クライアント・コンピュータに挿入されるＣＤ−ＲＯＭ上のもの、または、クライアント・コンピュータ上にダウンロードされるものによって実行されてもよい。終了すると、肥料性能分析結果は、クライアント・コンピュータによって受領されるが、好ましくは、再適用時季、栄養放出インディケータ、放出される栄養素の量、肥料栄養放出率、推薦肥料適用率、迅速放出パーセント、時間間隔あたりの栄養平均放出、栄養累積放出、栄養寿命、肥料拡散率、必要肥料合計量、またはそれらの任意の組み合わせを含む。【選択図】図１
2007535072.tif 000002
【特許請求の範囲】
【請求項１】
コンピュータ化肥料性能分析を実行する方法において、
(a)  クライアント・コンピュータにおいて請求中の複数のパラメータ要求を入力する工程と；
(b)前記請求における前記複数のパラメータ要求を分析する工程であって、前記複数のパラメータ要求を分析するためにルーチンを使用する工程と、；
(c)  前記請求から得られる前記複数のパラメータ要求の前記分析に基づいて少なくとも１個の肥料性能分析結果を計算する工程と；
(d)  前記クライアント・コンピュータによって、前記少なくとも１個の肥料性能分析結果を受領する工程であって、肥料の再適用の時季と、要すれば任意に、あらかじめ選択された複数の時間間隔において肥料から放出される栄養素の量、時間における、土壌に対する肥料栄養素の放出率、または、土壌に対する肥料の推薦適用率の内から選ばれる少なくとも１つとを含む分析結果を受領する工程と、
からなることを特徴とする前記方法。
【請求項２】
前記ルーチンは、
前記請求において入力された前記複数のパラメータ要求を検閲する工程と；
前記請求において入力された前記複数のパラメータ要求を、保存媒体に保存される実際の栄養放出データと比較する工程と；
前記請求において入力された前記複数のパラメータ要求に基づいて、一連の時間間隔において栄養放出を計算し、累積する工程と、
からなることを特徴とする請求項１記載の方法。
【請求項３】
前記少なくとも１個の肥料性能分析結果は、前記放出率を、１０００平方フィート当たりの栄養素ポンド、または、１００平方メートル当たりの栄養素キログラムで与えることを特徴とする請求項１記載の方法。
【請求項４】
前記少なくとも１個の肥料性能分析結果は、前記肥料の前記推薦適用率を、１０００平方フィート当たりのポンド、または、１００平方メートル当たりのキログラムで与えることを特徴とする請求項１記載の方法。
【請求項５】
前記肥料栄養素は、窒素、リン酸、カリ、またはそれらの任意の組み合わせの内の少なくとも１つを含むことを特徴とする請求項１記載の方法。
【請求項６】
前記再適用時季は、前記請求において入力される前記複数のパラメータ要求、および、前記肥料から漏出される栄養素の量によって決められることを特徴とする請求項１記載の方法。
【請求項７】
前記複数のパラメータ要求は、施設タイプ、計算単位、芝草タイプ、国別、州別、都市、施設／ゴルフコース名、グランドキーパー／管理者名、施設／ゴルフコースの住所と電話番号、処理すべきエーカー数または面積、肥料等級分析パーセント、肥料粒径、肥料栄養等級、パーセント肥料栄養等級、製品リス(ト、適用日付、適用率、温度補正、またはそれらの任意の組み合わせの内の少なくとも１つを含むことを特徴とする請求項１記載の方法。
【請求項８】
前記施設タイプは、ゴルフコースまたはスポーツ芝の内の少なくとも１つを含むことを特徴とする請求項７記載の方法。
【請求項９】
前記計算単位は、英国式計量単位またはメートル単位の内の少なくとも１つを含むことを特徴とする請求項７記載の方法。
【請求項１０】
前記芝草タイプは、暖地型または寒地型の内の少なくとも１つを含むことを特徴とする請求項７記載の方法。
【請求項１１】
前記国別は、カナダ、アイルランド、メキシコ、英国、またはアメリカ合衆国の内の少なくとも１つを含むことを特徴とする請求項７記載の方法。
【請求項１２】
前記肥料等級分析パーセントは、窒素のパーセント、リン酸(Ｐ２Ｏ５)のパーセント、カリ(Ｋ２Ｏ)のパーセント、またはそれらの任意の組み合わせの内の少なくとも１つを含むことを特徴とする請求項７記載の方法。
【請求項１３】
前記肥料粒径は、レギュラー、ミニ、またはミクロ粒径の内の少なくとも１つを含むことを特徴とする請求項７記載の方法。
【請求項１４】
前記肥料栄養等級は、肥料において利用可能な窒素が４４、４３、４２、４１、４０、３８．５、３７、１３、または１２パーセントの内の少なくとも１つを含むことを特徴とする請求項7記載の方法。
【請求項１５】
前記肥料栄養等級は、肥料において利用可能なカリが５９、５６、５０、４５、４３、または４２パーセントの内の少なくとも１つを含むことを特徴とする請求項７記載の方法。
【請求項１６】
前記少なくとも１個の肥料性能分析結果は、迅速放出のパーセント、時間間隔当たりの、栄養素の平均放出、栄養素の累積放出、栄養寿命、肥料拡散率、肥料の必要全体量、または、これらの任意の組み合わせをさらに含むことを特徴とする請求項１記載の方法。
【請求項１７】
前記少なくとも１個の肥料性能分析結果は、栄養放出が、肥料処理環境において最適生育条件を維持するのに必要なレベル以下に低下する時点を示すインディケータをさらに含むことを特徴とする請求項１記載の方法。
【請求項１８】
前記(a)から(d)までを繰り返し、請求に入力された新規の複数のパラメータ要求に基づいて、少なくとも１個の新たな肥料性能分析結果を前記クライアント・コンピュータにおいて受領する工程をさらに含むことを特徴とする請求項１６記載の方法。
【請求項１９】
前記(a)から(d)までを繰り返し、請求に入力された新規の複数のパラメータ要求に基づいて、少なくとも1個の新たな肥料性能分析結果を前記クライアント・コンピュータにおいて受領する工程をさらに含むことを特徴とする請求項１記載の方法。
【請求項２０】
コンピュータ化オンライン肥料性能分析を実行する方法において、
(a)  クライアント・コンピュータにおいて請求中の複数のパラメータ要求を入力する工程と；
(b)  前記クライアント・コンピュータから前記請求をプロバイダー・コンピュータに送信する工程と；
(c)  前記プロバイダー・コンピュータによって、肥料性能分析に対する前記請求を受領する工程と；
(d)  前記請求における前記複数のパラメータ要求を分析する工程であって、前記プロバイダー・コンピュータが、前記複数のパラメータ要求を分析するためにルーチンを使用する工程と；
(e)  前記請求から得られる前記複数のパラメータ要求の前記分析に基づいて少なくとも１個の肥料性能分析結果を計算する工程と；
(f)  前記クライアント・コンピュータによって、前記少なくとも１個の肥料性能分析結果を受領する工程であって、肥料の再適用の時季と、要すれば任意に、あらかじめ選択された複数の時間間隔において肥料から放出される栄養素の量、時間における、土壌に対する肥料栄養素の放出率、または、土壌に対する肥料の推薦適用率の内から選ばれる少なくとも１つとを含む前記肥料性能分析結果を受領する工程と、
からなることを特徴とする前記方法。
【請求項２１】
前記ルーチンは、
前記請求において入力された前記複数のパラメータ要求を検閲する工程と；
前記請求において入力された前記複数のパラメータ要求を、保存媒体に保存される実際の栄養放出データと比較する工程と；
前記請求において入力された前記複数のパラメータ要求に基づいて、一連の時間間隔において栄養放出を計算し、累積する工程と、
を含むことを特徴とする請求項２０記載の方法。
【請求項２２】
前記少なくとも１個の肥料性能分析結果は、前記放出率を、１０００平方フィート当たりの栄養素ポンド、または、１００平方メートル当たりの栄養素キログラムで与えることを特徴とする請求項２０記載の方法。
【請求項２３】
前記少なくとも１個の肥料性能分析結果は、前記肥料の前記推薦適用率を、１０００平方フィート当たりのポンド、または、１００平方メートル当たりのキログラムで与えることを特徴とする請求項２０記載の方法。
【請求項２４】
前記肥料栄養素は、窒素、リン酸、カリ、またはそれらの任意の組み合わせの内の少なくとも１つを含むことを特徴とする請求項２０記載の方法。
【請求項２５】
前記再適用時季は、前記請求において入力される前記複数のパラメータ要求、および、前記肥料から漏出される栄養素の量によって決められることを特徴とする請求項２０記載の方法。
【請求項２６】
前記複数のパラメータ要求は、施設タイプ、計算単位、芝草タイプ、国別、州別、都市、施設／ゴルフコース名、グランドキーパー／管理者名、施設／ゴルフコースの住所と電話番号、処理すべきエーカー数または面積、肥料等級分析パーセント、肥料粒径、肥料栄養等級、パーセント肥料栄養等級、製品リスト、適用日付、栄養適用率、温度補正、またはそれらの任意の組み合わせの内の少なくとも１つを含むことを特徴とする請求項２０記載の方法。
【請求項２７】
前記施設タイプは、ゴルフコースまたはスポーツ芝の内の少なくとも１つを含むことを特徴とする請求項２６記載の方法。
【請求項２８】
前記計算単位は、英国式計量単位またはメートル単位の内の少なくとも１つを含むことを特徴とする請求項２６記載の方法。
【請求項２９】
前記芝草タイプは、暖地型または寒地型の内の少なくとも１つを含むことを特徴とする請求項２６記載の方法。
【請求項３０】
前記国別は、カナダ、アイルランド、メキシコ、英国、またはアメリカ合衆国の内の少なくとも１つを含むことを特徴とする請求項２６記載の方法。
【請求項３１】
前記肥料等級分析パーセントは、窒素のパーセント、リン酸(Ｐ２Ｏ５)のパーセント、カリ(Ｋ２Ｏ)のパーセント、またはそれらの任意の組み合わせの内の少なくとも１つを含むことを特徴とする請求項２６記載の方法。
【請求項３２】
前記肥料粒径は、レギュラー、ミニ、またはミクロ粒径の内の少なくとも１つを含むことを特徴とする請求項２６記載の方法。
【請求項３３】
前記肥料栄養等級は、肥料において利用可能な窒素が４４、４３、４２、４１、４０、３８．５、３７、１３、または１２パーセントの内の少なくとも１つを含むことを特徴とする請求項２６記載の方法。
【請求項３４】
前記肥料栄養等級は、肥料において利用可能なカリが５９、５６、５０、４５、４３、または４２パーセントの内の少なくとも１つを含むことを特徴とする請求項２６記載の方法。
【請求項３５】
前記少なくとも１個の肥料性能分析結果は、迅速放出のパーセント、時間間隔当たりの、栄養素の平均放出、栄養素の累積放出、栄養寿命、肥料拡散率、肥料の必要全体量、または、これらの任意の組み合わせをさらに含むことを特徴とする請求項２０記載の方法。
【請求項３６】
前記少なくとも１個の肥料性能分析結果は、栄養放出が、肥料処理環境において最適生育条件を維持するのに必要なレベル以下に低下する時点を示すインディケータをさらに含むことを特徴とする請求項２０記載の方法。
【請求項３７】
前記(a)から(f)までを繰り返し、請求に入力された新規の複数のパラメータ要求に基づいて、少なくとも１個の新たな肥料性能分析結果を前記クライアント・コンピュータにおいて受領する工程をさらに含むことを特徴とする請求項３５記載の方法。
【請求項３８】
前記（a)から(f)までを繰り返し、請求に入力された新規の複数のパラメータ要求に基づいて、少なくとも１個の新たな肥料性能分析結果を前記クライアント・コンピュータにおいて受領する工程をさらに含むことを特徴とする請求項２０記載の方法。
【請求項３９】
殺虫剤調節放出製品のためにコンピュータ化性能分析を実行する方法において、
(a)  クライアント・コンピュータにおいて請求中の複数のパラメータ要求を入力する工程と；
(b)  前記請求における前記複数のパラメータ要求を分析する工程であって、前記複数のパラメータ要求を分析するためにルーチンを使用する工程と；
(c)  前記請求から得られる前記複数のパラメータ要求の前記分析に基づいて少なくとも１個の調節放出製品性能分析結果を計算する工程と；
(d)  前記クライアント・コンピュータによって、前記少なくとも１個の調節放出製品性能分析結果を受領する工程であって、調節放出製品の再適用の時季と、要すれば任意に、あらかじめ選択された複数の時間間隔において調節放出製品から放出される少なくとも１種の殺虫活性剤の量、時間における、土壌に対する前記調節放出製品からの少なくとも1種の殺虫活性剤の放出率、土壌に対する調節放出製品の推薦適用率、または、少なくとも１種の殺虫活性剤の調節放出製品分析、の内から選ばれる少なくとも１つとを含む前記調節放出製品性能分析結果を受領する工程と、
からなることを特徴とする前記方法。
【請求項４０】
コンピュータ化オンライン殺虫調節放出製品性能分析を実行する方法において、
(a)  クライアント・コンピュータにおいて請求中の複数のパラメータ要求を入力する工程と；
(b)  前記クライアント・コンピュータから前記請求をプロバイダー・コンピュータに送信する工程と；
(c)  前記プロバイダー・コンピュータによって、調節放出製品性能分析に対する前記請求を受領する工程と；
(d)  前記請求における前記複数のパラメータ要求を分析する工程であって、前記プロバイダー・コンピュータは、前記複数のパラメータ要求を分析するためにルーチンを使用する工程と；
(e)  前記請求から得られる前記複数のパラメータ要求の前記分析に基づいて少なくとも１個の調節放出製品性能分析結果を計算する工程と；
(f)  前記クライアント・コンピュータによって、前記少なくとも１個の調節放出製品性能分析結果を受領する工程であって、調節放出製品の再適用の時季と、要すれば任意に、あらかじめ選択された複数の時間間隔において調節放出製品から放出される少なくとも１種の殺虫活性剤の量、時間における、土壌に対する前記調節放出製品からの少なくとも１種の殺虫活性剤の放出率、土壌に対する調節放出製品の推薦適用率、または、少なくとも１種の殺虫活性剤の調節放出製品分析、の内から選ばれる少なくとも１つとを含む前記調節放出製品性能分析結果を受領する工程と、
からなることを特徴とする前記方法。
【請求項４１】
前記ルーチンは、
前記請求において入力された前記複数のパラメータ要求を検閲する工程と；
前記請求において入力された前記複数のパラメータ要求を、保存媒体に保存される実際の殺虫活性剤、または複数の殺虫活性剤放出データと比較する工程と；
前記請求において入力された前記複数のパラメータ要求に基づいて、一連の時間間隔において殺虫活性剤、または複数の殺虫活性剤放出を計算し、累積する工程と、
からなることを特徴とする請求項３９または４０記載の方法。
【請求項４２】
前記少なくとも１個の調節放出製品性能分析結果は、前記放出率を、１０００平方フィート当たりの活性剤または複数の活性剤ポンド、または、１００平方メートル当たりの活性剤または複数の活性剤キログラムで与えることを特徴とする請求項３９または４０記載の方法。
【請求項４３】
前記少なくとも１個の調節放出製品性能分析結果は、前記調節放出製品の前記推薦適用率を、１０００平方フィート当たりのポンド、または、１００平方メートル当たりのキログラムで与えることを特徴とする請求項３９または４０記載の方法。
【請求項４４】
前記複数のパラメータ要求は、施設タイプ、計算単位、国別、州別、都市、施設名、グランドキーパー名、施設の住所と電話番号、処理すべきエーカー数または面積、調節放出製品分析パーセント、粒径、パーセント活性剤または複数活性剤、製品リスト、適用日付、適用率、温度補正、またはそれらの任意の組み合わせの内の少なくとも１つを含むことを特徴とする請求項３９または４０記載の方法。
【請求項４５】
前記計算単位は、英国式計量単位またはメートル単位の内の少なくとも１つを含むことを特徴とする請求項４４記載の方法。
【請求項４６】
前記少なくとも１個の調節放出製品性能分析結果は、活性剤または複数活性剤放出が、調節放出製品処理環境において最適殺虫条件を維持するのに必要なレベル以下に低下する時点を示すインディケータをさらに含むことを特徴とする請求項３９または４０記載の方法。
【請求項４７】
前記(a)から(d)までを繰り返し、請求に入力された新規の複数のパラメータ要求に基づいて、少なくとも１個の新たな調節放出製品性能分析結果を前記クライアント・コンピュータにおいて受領する工程をさらに含むことを特徴とする請求項３９記載の方法。
【請求項４８】
前記(a)から(f)までを繰り返し、請求に入力された新規の複数のパラメータ要求に基づいて、少なくとも１個の新たな調節放出製品性能分析結果を前記クライアント・コンピュータにおいて受領する工程をさらに含むことを特徴とする請求項４０記載の方法。
【請求項４９】
少なくとも１種の活性剤を含む調節放出製品のためにコンピュータ化性能分析を実行する方法において、
(a)  クライアント・コンピュータにおいて請求中の複数のパラメータ要求を入力する工程と；
(b)  前記請求における前記複数のパラメータ要求を分析する工程であって、前記複数のパラメータ要求を分析するためにルーチンを使用する工程と；
(c)  前記請求から得られる前記複数のパラメータ要求の前記分析に基づいて少なくとも１個の調節放出製品性能分析結果を計算する工程と；
(d)  前記クライアント・コンピュータによって、前記少なくとも１個の調節放出製品性能分析結果を受領する工程であって、調節放出製品の再適用の時季と、要すれば任意に、あらかじめ選択された複数の時間間隔における調節放出製品から放出される少なくとも１種の活性剤の量、時間における、前記調節放出製品からの少なくとも１種の活性剤の放出率、調節放出製品の推薦適用率、または、調節活性剤の少なくとも１種の活性剤の調節放出製品分析、の内から選ばれる少なくとも１つとを含む前記調節放出製品性能分析結果を受領する工程と、
からなることを特徴とする前記方法。
【請求項５０】
少なくとも１種の活性剤を含む調節放出製品のコンピュータ化オンライン調節放出製品性能分析を実行する方法において、
(a)  クライアント・コンピュータにおいて請求中の複数のパラメータ要求を入力する工程と；
(b)  前記クライアント・コンピュータから前記請求をプロバイダー・コンピュータに送信する工程と；
(c)  前記プロバイダー・コンピュータによって、調節放出製品性能分析に対する前記請求を受領する工程と；
(d)  前記請求における前記複数のパラメータ要求を分析する工程であって、前記プロバイダー・コンピュータが、前記複数のパラメータ要求を分析するためにルーチンを使用する工程と；
(e)  前記請求から得られる前記複数のパラメータ要求の前記分析に基づいて少なくとも１個の調節放出製品性能分析結果を計算する工程と；
(f)  前記クライアント・コンピュータによって、前記少なくとも１個の調節放出製品性能分析結果を受領する工程であって、調節放出製品の再適用の時季と、要すれば任意に、あらかじめ選択された複数の時間間隔において調節放出製品から放出される少なくとも１種の活性剤の量、時間における、前記調節放出製品からの少なくとも１種の活性剤の放出率、調節放出製品の推薦適用率、または、調節放出製品からの少なくとも１種の活性剤の調節放出製品分析、の内から選ばれる少なくとも１つとを含む前記調節放出製品性能分析結果を受領する工程と、
からなることを特徴とする前記方法。
【請求項５１】
前記ルーチンは、
前記請求において入力された前記複数のパラメータ要求を検閲する工程と；
前記請求において入力された前記複数のパラメータ要求を、保存媒体に保存される実際の活性剤、または複数の活性剤放出データと比較する工程と；
前記請求において入力された前記複数のパラメータ要求に基づいて、一連の時間間隔において活性剤、または複数の活性剤放出を計算し、累積する工程と、
からなることを特徴とする請求項４９または５０記載の方法。
【請求項５２】
前記少なくとも１個の調節放出製品性能分析結果は、前記放出率を、１０００平方フィート当たりの活性剤または複数の活性剤ポンド、または、１００平方メートル当たりの活性剤または複数の活性剤キログラムで与えることを特徴とする請求項４９または５０記載の方法。
【請求項５３】
前記少なくとも１個の調節放出製品性能分析結果は、前記調節放出製品の前記推薦適用率を、１０００平方フィート当たりのポンド、または、１００平方メートル当たりのキログラムで与えることを特徴とする請求項４９または５０記載の方法。
【請求項５４】
前記複数のパラメータ要求は、施設タイプ、計算単位、国別、州別、都市、施設名、処理すべきエーカー数または面積、調節放出製品分析パーセント、粒径、パーセント活性剤または複数活性剤、製品リスト、適用日付、適用率、温度補正、またはそれらの任意の組み合わせの内の少なくとも１つを含むことを特徴とする請求項４９または５０記載の方法。
【請求項５５】
前記計算単位は、英国式計量単位またはメートル単位の内の少なくとも１つを含むことを特徴とする請求項５４記載の方法。
【請求項５６】
前記少なくとも１個の調節放出製品性能分析結果は、活性剤または複数活性剤放出が、調節放出製品処理環境において最適条件を維持するのに必要なレベル以下に低下する時点を示すインディケータをさらに含むことを特徴とする請求項４９または５０記載の方法。
【請求項５７】
前記(a)から(d)までを繰り返し、請求に入力された新規の複数のパラメータ要求に基づいて、少なくとも１個の新たな調節放出製品性能分析結果を前記クライアント・コンピュータにおいて受領する工程をさらに含むことを特徴とする請求項４９記載の方法。
【請求項５８】
前記(a)から(f)までを繰り返し、請求に入力された新規の複数のパラメータ要求に基づいて、少なくとも１個の新たな調節放出製品性能分析結果を前記クライアント・コンピュータにおいて受領する工程をさらに含むことを特徴とする請求項５０記載の方法。
【発明の詳細な説明】
【技術分野】
【０００１】
本発明は、肥料性能を予測する方法に関するものである。より詳細には、本発明は、クライアント・コンピュータ(client computer)による肥料性能分析請求に基づいて、コンピュータ化肥料性能分析を実行する方法に関するものである。具体的には、請求は、クライアント・コンピュータにおいて入力される複数のパラメータ要求を含む。一旦パラメータ要求が入力されたならば、そのパラメータ要求を分析するためにルーチンが実行される。このルーチンは、例えばプロバイダー・コンピュータ(provider computer)上にあってインターネットを介して配布されるソフトウェア・プログラム、クライアント・コンピュータに挿入されるＣＤ−ＲＯＭ上のもの、または、クライアント・コンピュータ上にダウンロードされるものによって実行されてもよい。ルーチンの終了時点で、クライアント・コンピュータは、肥料性能分析の結果を受領する。
【背景技術】
【０００２】
世界の多くの土壌環境は元々栄養不足であり、特に多年生植物、例えば、芝草に対して最適な生育条件を提供しない。従って、芝草および植物の生育と健康を強化するために肥料が用いられる。肥料は、植物の栄養要求の高い時季に必須栄養素を供給することによって、芝草および植物がより好適に生育するように土壌環境を豊かにすることができる。ある土壌環境に生育する芝草および植物は、その土壌の組成およびその中の栄養素の量に応じて、様々な時季に、様々の量の様々な栄養素を要求する。
【０００３】
ある土壌環境において最適の生育条件を実現し維持するためには、土壌環境において芝草の要求する適当量の栄養素を、土壌試験および分析によって決定しなければならない。生育時季または特定期間を通じて、好ましくはこのような試験によって決めた通りに１種以上の肥料を適用、または通常再適用する必要がある。例えば、芝草土壌環境、例えば、ゴルフコース、スポーツ施設、または芝生における芝草土壌環境を最高状態に維持するためには、早春から晩秋まで、あるいは、場合によっては、芝草維持慣行、環境、および気候に応じて１年中を通じて、様々な時季に様々な量の肥料をその区域に反復適用する必要がある。
【０００４】
例えば、芝草環境、例えば、ゴルフコース、スポーツ施設、および芝生を最高状態に維持し、かつ、肥料の反復適用慣行に関連する時間と出費を最小にするために、各種の調節放出肥料が開発されている。これらの調節放出肥料は、土壌環境に適用された場合、適用後、芝草が時間と共に最適量の肥料を受容するように、ある調節速度で肥料栄養素を放出するように処方される。１つの、極めて成功を収めた市販の調節放出肥料(CRF)は、POLYON（登録商標）ポリマーでコートされた調節放出肥料(PCF)である。これは、アラバマ州．シラコーガ（Sylacauga）にあるプーセル．テクノロジーズ．インコーポレイテッド{Pursell Technologies, Inc. (PTI)}によって製造される。PTIは、自社のREACTIVE LAYERS COATINGS（反応層コーティング、登録商標）肥料技術を利用して、POLYON（登録商標）コート尿素（PCU）およびその他のPCFを生産する。PCFの生産は、様々の米国および外国特許、例えば、特許文献１、特許文献２、特許文献３、特許文献４、特許文献５および特許文献６を含む特許によって保護される。
【０００５】
調節放出肥料を含む、芝草肥料の適用に関わる重要な問題は、最適な生育、色合、および密度のために、土壌環境が一貫して十分なバランスと栄養素量を維持するように、肥料を適用、または再適用するための適当な時季、または間隔を決定することである。ゴルフコースのフェアウェイおよびグリーン上の芝草のためには、プレイ・シーズンを通じてコースの芝草の、均一で一定の緑色および密度を実現することが特に重要である。
【０００６】
芝草施肥慣行に関するもう１つの重要な問題は、処理の対象となる土壌のタイプ、および様々な気候および気象条件において栄養素の最適なバランスと品質を供給する適当な肥料を選択することである。
【０００７】
POLYON PCFの肥料性能分析を実行する従来技術で既知なものとして、POLYGRAPH（登録商標）肥料性能予測（POLYGRAPH予測ウェア）コンピュータプログラムがある。PTIは、ゴルフコース管理者と共にPOLYGRAPH予測ウェアを用いる。プログラムの要求を入力することによって、POLYGRAPH予測ウェアは、POLYON肥料がどのように働くかの分析をユーザーに供給する。POLYGRAPH予測ウェアを用いることによって、ユーザーはまた、単一の肥料適用に関して、ユーザーのコースと気候に合わせてPOLYON肥料栄養素分析をカスタマイズすることが可能である。POLYGRAPH予測ウェアは、適用の日付から週毎に放出される窒素またはカリの量をユーザーに提供する。POLYGRPH予測ウェアはまた、肥料製品適用率、および肥料適用のために必要な５０ポンド袋の数をユーザーに提供する。POLYGRAPH予測ウェアは、POLYON調節放出肥料の性能予測には極めて有効ではあるものの、POLYGRAPH予測ウェアも改善の余地がある。
【０００８】
従って、後述する肥料性能分析を実行する改良法に対しては需要が存在する。さらに、特に、ゴルフコース芝草に対する肥料適用については、肥料性能分析を実行する改良法に対する需要が存在する。
【特許文献１】米国特許第4,711,659号明細書
【特許文献２】米国特許第4,804,403号明細書
【特許文献３】米国特許第5,374,292号明細書
【特許文献４】米国特許第5,547,486号明細書
【特許文献５】米国特許第5,858,094号明細書
【特許文献６】米国特許第6,537,611号明細書
【発明の開示】
【発明が解決しようとする課題】
【０００９】
本発明は、肥料の最適効率のための肥料性能を予測する方法を提供することを目的とするものである。さらに詳細には、本発明は、クライアント・コンピュータによる肥料性能分析請求に基づいて、コンピュータ化肥料性能分析を実行する方法を提供することを目的とするものである。請求は、クライアント・コンピュータ上に入力される複数のパラメータ要求を含む。これらのパラメータ要求は、所望の分析結果に基づいてあらかじめ指定されてもよい。一旦パラメータ要求が入力されたならば、ルーチンが実行されて請求中の複数のパラメータ要求を分析する。このルーチンは、例えばプロバイダー・コンピュータ上にあってインターネットを介して配布されるソフトウェア・プログラム、クライアント・コンピュータに挿入されるＣＤ−ＲＯＭ上のもの、または、クライアント・コンピュータ上にダウンロードされるものによって実行されてもよい。ルーチン、すなわち、分析の終了時点で、肥料性能分析の結果はクライアント・コンピュータによって受領される。これらの結果としては、時間について肥料から放出される栄養素の量；時間について土壌に対する肥料栄養素の放出速度；土壌に対する肥料の推奨適用率；肥料の再適用の時季；土壌に対する栄養素の迅速放出のパーセント；時間間隔当たりの、土壌に対する栄養素の平均放出；土壌に対する栄養素の累積放出；肥料の栄養寿命；肥料拡散率；肥料の必要全体量；栄養素放出量が、肥料処理環境において好ましい生育条件を維持するのに必要なレベル以下に低下する時点を示すインディケータ；または、これらの任意の組み合わせが挙げられる。
【００１０】
肥料性能分析結果は、表またはグラフ形としてクライアント・コンピュータ上に表示されてもよい。表形式の場合、肥料性能分析結果は、肥料の適用日付、すなわち、肥料処理の開始日付を表示し、適用日付から、選択された時間間隔で、例えば、週毎、月毎、日毎等で延長することが好ましい。各時間間隔において、分析結果は、その時間間隔に放出される選択された栄養素の量、および、その後放出されるために肥料の中に残留する選択された栄養素の量を表示する。例えば、各週時間間隔の場合、分析結果は、その週に放出される窒素の量および、週間隔で放出される、肥料中に残留する窒素の量を表示してもよい。時間が進み、肥料から栄養素が消失するにつれて、分析結果表は、肥料の栄養放出が無効になる時点、すなわち、適用された肥料からの栄養放出が、最適生育状態を実現する条件に土壌環境を維持し、それによってその土壌環境における芝草の色、密度、および健康を維持するのに必要なレベル以下に低下する時点を示す。従って、分析結果は、肥料の再適用の時季を提供する。この同じ結果は、グラフ形式で表示されてもよい。
【００１１】
上記から、クライアント・コンピュータによる請求に基づいてコンピュータ化肥料性能分析を実行する改良法を提供することが本発明の主要目的である。
【００１２】
クライアント・コンピュータによる請求に基づいて、１つまたは複数の活性成分を持つ調節放出物質についてコンピュータ化性能分析を実行するに際し、１つまたは複数の活性成分の放出を分析し、その物質について適用および再適用の日付を提供する分析を行う改良法を提供することが本発明の主要目的である。
【００１３】
クライアント・コンピュータに入力された複数のパラメータ要求に基づいて、肥料適用を最適化するのに有用な肥料性能を提供する、下記を含むコンピュータ化肥料性能分析を実行する方法を提供することが本発明のさらにもう１つの主要目的である。すなわち、時間について肥料から放出される栄養素の量；時間について土壌に対する肥料栄養素の放出速度；土壌に対する肥料の推奨適用率；肥料の再適用の時季；土壌に対する栄養素の迅速放出のパーセント；時間間隔当たりの、土壌に対する栄養素の平均放出；土壌に対する栄養素の累積放出；肥料の栄養寿命；肥料拡散速度；必要とされる肥料の全体量；栄養素放出量が、肥料処理環境において好ましい生育条件を維持するのに必要なレベル以下に低下する時点を示すインディケータ；または、これらの任意の組み合わせである。
【００１４】
クライアント・コンピュータに入力された複数のパラメータ要求に基づいて、肥料からの栄養素放出量が、肥料処理環境において好ましい生育条件を維持するのに必要なレベル、すなわち、芝草を緑色で健康に保つのに必要なレベル以下に低下する時点を示すインディケータを提供する、コンピュータ化肥料性能分析を実行する方法を提供することが本発明のさらにもう１つの主要目的である。
【００１５】
クライアント・コンピュータに入力された複数のパラメータ要求に基づいて、肥料の再適用の時季または日付を提供する、コンピュータ化肥料性能分析を実行する方法を提供することが本発明のさらにもう１つの主要目的である。
【００１６】
本発明のその他の目的および利点は、本明細書における発明の図面および説明から明らかとなろう。
【発明を実施するための最良の形態】
【００１７】
本発明は、肥料性能を予測する方法に関する。本発明は、肥料の最適利用を実現する。さらに詳細には、本発明は、クライアント・コンピュータによる肥料性能分析請求に基づいて、コンピュータ化肥料性能分析を実行する方法に関する。請求は、クライアント・コンピュータにおいてインプットされる、すなわち入力される複数のパラメータ要求を含むことが好ましい。これらのパラメータ要求は、所望の分析結果に基づいてあらかじめ指定されていてもよい。一旦これらのパラメータ要求が入力されたならば、ルーチンを実行して、請求の中の複数のパラメータ要求を分析する。ルーチンは、従来技術で既知のように、例えばプロバイダー・コンピュータ上にあってインターネットを介して配布されるソフトウェア・プログラム、クライアント・コンピュータに挿入されるＣＤ−ＲＯＭ上のもの、または、クライアント・コンピュータ上にダウンロードされるものによって実行されてもよい。ルーチン、すなわち分析の終了時点で、１種以上の肥料性能分析の結果がクライアント・コンピュータによって受領される。
【００１８】
本発明の好ましい実施例では、方法は、クライアント・コンピュータによる肥料性能分析請求によって開始されるのが好ましい。請求を完了するために、クライアント・コンピュータはソフトウェア・プログラムを活性化し、肥料性能分析の請求画面を開く。インターネットを介して行われる本発明の実施例では、ユーザーは選択されたウェブサイトに向かう。ウェブサイトはログオン画面を含むことが好ましく、同画面において、ユーザーは、ログオン名とパスワードを入力し、すると肥料性能分析用の請求画面が開かれる。
【００１９】
請求は、クライアント・コンピュータ上にて入力される複数のパラメータ要求を含むことが好ましい。好ましい実施例では、請求中の複数のパラメータ要求は、一組の初期パラメータ要求フィールド、および、好ましくは窒素計算シートまたはカリ計算シートを含む栄養計算シートを含む。
【００２０】
最初の初期パラメータ要求フィールドは、施設のタイプであることが好ましい。施設タイプは、ゴルフコースまたはスポーツ芝生であることが好ましい。しかしながら、適当なものであれば、いずれの施設タイプを選択してもよい。第2の初期パラメータ要求フィールドは、計算単位であることが好ましい。これは、例えば、英国式計量システム、またはメートルシステム、すなわち、国際単位システムから選択されることが好ましい。第３の初期パラメータ要求フィールドは、芝草タイプであることが好ましく、これは、暖地型または寒地型から選択されることが好ましい。次に好ましい初期パラメータ要求フィールドは、施設の地理的位置である。これは、その地理的位置に対し、あらかじめプログラムされた気候条件（例えば、温度、降水量、日照時間等に関する平均気象データ）と連結する。国別要求フィールドは、カナダ、アイルランド、メキシコ、英国、または合衆国から選択されることが好ましい。しかしながら、いずれの国も選択肢となることが可能である。
【００２１】
カナダ、アイルランド、メキシコ、または英国が国別要求フィールドとして選択された好ましい実施例では、次に好ましい初期パラメータ要求フィールドは、都市要求フィールドである。具体的には、カナダが選択された場合、都市要求フィールドは、カルガリー、エドモントン、キングストン、モントリオール、オタワ、リジャイナ、トロント、バンクーバー、またはウィニペグから選択されるのが好ましい。アイルランドが選択された場合、都市要求フィールドは、クレアモリ、コーク、ダブリン、またはキルケニーから選択されるのが好ましい。メキシコが選択される場合、都市要求フィールドは、カボサンルーカス、カンクン、グアダラハラ、メキシコシティー、モンテレー、またはプエルトバラルタから選択されることが好ましい。英国が選択された場合、都市要求フィールドはロンドンから選択されるのが好ましい。カナダ、アイルランド、メキシコ、または英国が国別要求フィールドとして選択された場合、いくつかの都市が、可能な都市選択肢として供給される一方で、それぞれの国における任意の都市も、都市要求フィールドの可能な選択肢となってもよい。
【００２２】
アメリカ合衆国が国別要求フィールドとして選択された場合、次の初期パラメータ要求フィールドは、州別要求フィールドであることが好ましい。州別要求フィールドは、アメリカ合衆国内の任意の州、またはコロンビア地区から選択される。一旦州が選択されたならば、都市要求フィールドは、それぞれの州において列挙される様々な都市から選択されるのが好ましい。各州について可能な都市選択肢としていくつかの都市のみが提供される一方で、それぞれの州の任意の都市が、都市要求フィールドの可能な選択肢となることも可能である。
【００２３】
一旦都市要求フィールドが選択され、かつ、その他の任意の初期パラメータ要求フィールドが入力されたならば、”Enter”フィールドが選択される。このフィールドは、初期パラメータ要求フィールドに入力されたデータを保存し、初期パラメータ要求フィールドに入力された情報に基づいて適当な栄養計算シートをもたらす。好ましい実施例では、栄養計算シートは、窒素計算シートまたはカリ計算シートである。
【００２４】
栄養計算シート、より好ましくは窒素計算シートまたはカリ計算シートは、クライアント・コンピュータによって完成される各種パラメータ要求を有することが好ましい。栄養計算シート、より好ましくは窒素計算シートまたはカリ計算シートに入力される、第１組のパラメータ要求フィールドは１組の一般情報フィールドである。このフィールドは、下記の少なくとも１つを含むことが好ましい。すなわち、施設またはゴルフコースの名前；その施設のグラウンドキーパーまたはゴルフコース管理者の名前；施設／ゴルフコースの住所であって、好ましくは、街路名、都市、州、および郵便番号を含む住所；施設／ゴルフコースの電話番号、および施設／ゴルフコースのファクシミリ番号である。しかしながら、適当であれば、いずれの一般的情報フィールドであっても、クライアント・コンピュータからの入力を要求してよい。
【００２５】
ロケーション・フィールドも、クライアント・コンピュータからの入力を要求してよい。別の実施例として、ロケーション・フィールドは、請求の初期パラメータ要求フィールドの中に以前に入力された情報に基づいて自動的に入力されてもよいし、あるいは、要すれば任意に要求しなくともよい。栄養計算シート、より好ましくは窒素計算シートまたはカリ計算シートに入力される次の組のパラメータ要求フィールドは、肥料要求フィールドであることが好ましい。これは、好ましくは、下記のフィールド、または、それらの任意の組み合わせを含むが、ただし、それらに限定されない。すなわち、(1)処理すべきエーカーまたは面積、(2)肥料等級分析による窒素、リン酸、およびカリのパーセント、(3)肥料粒子径、(4)特定ブランド肥料の栄養等級、例えば、POLYON肥料の栄養等級、(5)パーセント指定ブランド肥料栄養等級、例えば、パーセントPOLYON肥料栄養等級、(6)製品リスト、(7)適用日付、(8)栄養適用率、および(9)温度補正である。この指定のために、参照される調節放出肥料はPTI POLYON CRFである。しかしながら、他の調節放出肥料ブランドであっても本発明に従って利用可能であることを理解しなければならない。
【００２６】
肥料によって処理されるロケーションのエーカー数または面積は、処理すべきエーカーまたは面積用のパラメータ要求フィールドに入力される。肥料等級分析パーセント用パラメータ要求フィールドは、窒素(Ｎ)要求フィールドのパーセント、リン酸(Ｐ２Ｏ５)要求フィールドのパーセント、カリ(Ｋ２Ｏ)要求フィールドのパーセント、およびその他の任意の栄養素に対する同様フィールドを含むことが好ましい。各フィールドに対して、適当な任意の窒素、リン酸、およびカリのパーセントを入力してよい。肥料粒子径に対するパラメータ要求フィールドは、肥料粒子の様々の適当なサイズ、例えば、POLYON肥料等級のために用いられるもののようなレギュラー、ミニ、またはミクロ粒子サイズを含んでもよい。窒素計算シートにおけるPOLYON肥料栄養等級用の要求フィールドは、４４、４３、４２、４１、４０、３８．５、３７、１３、または１２から選ばれるのが好ましい。これらの数字は、POLYON PCF製品で得られる窒素パーセントを表す。カリ計算シートにおける肥料等級用のパラメータ要求フィールドは、５９、５６、５０、４５、４３、または４２から選ばれるのが好ましい。これらの数字は、ポリマーコート肥料製品で得られるカリのパーセントを表す。肥料栄養等級用の第２パラメータ要求フィールドは、POLYON PCFおよび他の肥料物質成分を含む肥料ブレンド製品のために利用されてもよい。
【００２７】
パーセントPOLYON肥料栄養等級用のパラメータ要求フィールドは、任意の適当なパーセントから選ばれることが好ましい。パーセントPOLYON肥料栄養等級用の第２パラメータ要求フィールドは、POLYON PCFおよび他の肥料物質成分を含む肥料ブレンド製品のために利用されてもよい。
【００２８】
POLYON調節放出肥料は、肥料顆粒に対する、極めて耐性の高い、極薄ポリウレタンコーティングを含む。このコーティングは、従来肥料に関連して見られる早すぎる、または過剰な栄養放出の危険を冒すことなく、大、小、および二次要素に対する芝草の要求を満たすように、選択POLYON PCFについて予告された時季において栄養放出を実現する。特許取得の反応層コーティング技術によって、極薄POLYON肥料コーティングは、栄養素顆粒に結合され、１００%調節放出、またはそれに近い調節放出用として極めて耐久性および信頼性の高い顆粒を生み出す。その結果、芝草および園芸育成家は、特に、コートの消失による、早すぎる、または過剰な栄養放出、およびその後の栄養不足による光毒症、例えば、肥料焼けに襲われる危険性を心配することなく、より栄養質の高い芝草および植物を生産することが可能となる。POLYON肥料等級およびパーセントPOLYON肥料が、好ましいパラメータ請求フィールドであるが、他のブランドの肥料も本発明の方法に従って使用することが可能である。
【００２９】
製品リスト用のパラメータ要求フィールドは、適当な任意の市販の肥料製品から選ばれてよい。適用日付用の要求フィールドは、ユーザーが土壌に最初に肥料を適用したいと思う任意のカレンダー日付から選ばれてよい。適用率用のパラメータ要求フィールドは、任意の適当な率から選ばれてよい。適用率は、１０００平方フィート当たりのポンドで表した栄養素（ポンド／１０００フィート２）、または１００平方メートル当たりのキログラムで表した栄養素(ｋｇ／１００ｍ２)で入力されるのが好ましい。温度補正用のパラメータ要求フィールドは、適当な任意の温度補正単位から選ばれてよい。温度補正用パラメータ要求フィールドによって、ユーザーは、１年のある時季の、あるロケーションにおける平均温度（最近３０年間の平均）と比べた場合の、実際の温度における差を補償することが可能となる。上記のようにパラメータ要求フィールドを設けてはいるが、適当であれば、任意のパラメータ要求フィールドを、栄養計算シート、より好ましくは窒素計算シート、またはカリ計算シートにおける可能な選択肢としてもよい。
【００３０】
一旦、必要なパラメータ要求フィールドの全てが入力されたならば、クライアント・コンピュータにおいて「計算せよ」フィールドを選択してもよい。必要なパラメータ要求フィールドの内のどれかが不完全であれば、クライアント・コンピュータは、請求が完了するまでにまだ入力する必要のある１つまたは複数のパラメータ要求フィールドを示す「プロンプト(prompt)」を受領する。「計算せよ」フィールドが選択され、パラメータ要求フィールドの全てが完了している場合、請求は完了する。
【００３１】
請求が完了した時点で、ルーチンが実行され、クライアント・コンピュータにおいて入力された、複数のパラメータ要求フィールドを分析する。このルーチンは、例えばプロバイダー・コンピュータ上にあってインターネットを介して配布されるソフトウェア・プログラム、クライアント・コンピュータに挿入されるＣＤ−ＲＯＭ上のもの、または、クライアント・コンピュータ上にダウンロードされるものによって実行されてもよい。実行されるルーチンは、請求についてパラメータ要求フィールドに入力された情報を検閲し、この情報を、以前に編集した実際の栄養放出データ、および、例えば、データベースに保存されるそれから得られた結果と比較し、各時間間隔における栄養放出を計算し、各時間間隔における栄養放出を累積することを含む。ルーチンの少量時点で、１種以上の肥料性能分析結果がクライアント・コンピュータによって受領される。
【００３２】
本発明の方法において利用される肥料製品からの、時間的栄養放出は、その肥料製品の拡散係数（ＤＣ）に基づく。本発明の好ましい実施例では、肥料製品の拡散係数(ＤＣ)は、栄養素の週毎の平均放出率かける肥料製品におけるコーティング量として表される。この栄養放出と拡散係数は、フィック（Fick）の拡散法則によって支持され、説明される。
【００３３】
請求の栄養計算シートの製品リスト要求フィールドにおける選択肢として挙げられる各肥料製品の実際の栄養放出データが、本発明の方法におけるルーチンの基礎となる。具体的には、栄養放出データは、肥料製品毎に、指定の時間間隔、好ましくは各週間隔で、１０℃、２０℃、および３０℃の温度において、例えば、データベースとして、従来技術で既知の、任意の適当な手段によって保存される。実際の栄養放出データは、例えば、特定のコートされた肥料製品の２０グラムサンプルを、１００グラムの水に加えて溶液を形成することによって得ることが可能である。変換を阻止するために、この溶液に栄養素特異的阻害剤を加えてもよい。次に、請求の栄養計算シートにおける製品リスト要求フィールドに選択肢として挙げられる各肥料製品について同様にして複数の溶液サンプルを調製してもよい。次に、これらの溶液は定温器に設置される。各肥料製品の少なくとも１つの溶液サンプルが、それぞれ、１０℃、２０℃、および３０℃の恒温を持つ定温器に設置されることが好ましい。
【００３４】
指定の時間間隔、好ましくは各週において、各サンプル溶液について測定値を得、コートされた肥料製品から溶液中に放出された栄養素の量を決定する。各時間間隔における各溶液に溶解した栄養素の量を定量するのに屈折計を使用することが好ましい。しかしながら、各時間間隔において溶液中に放出される栄養素の量を測定するには適当であればいずれの方法または装置でも使用が可能である。
【００３５】
一旦実際の栄養放出データが収集されたならば、各製品について、各温度における時間的累積放出をプロットする。各温度について、各製品の複数のサンプルを用いている場合、サンプル間の変動を明らかにするために結果を平均してプロットする。週毎の測定値を、測定温度のそれぞれについて滑らかな放出曲線としてプロットする。次に、この放出曲線を、各製品の曲線適合プログラムに基づいて、適当数の部分／線分に区分する。例えば、ポリマーコート尿素の場合、各放出曲線は、６個の部分／線分に分割される。好ましくは下記のように、すなわち、それぞれ、０−５０％, ５０％−６３．５％, ６３．５％−７５％, ７５％−８４％, ８４％−９３％, おより９３％−１００％放出に分割される。ポリマーコート放出曲線を６個の部分／線分に分割することは、好ましくはもっとも正確な結果を与える。ポリマーコート尿素の放出について6個未満の部分／線分に分割することは、一つの領域、すなわち線分から次の領域への移行が滑らかとならない可能性があり、一方、6個を超える部分／線分の分割は、結果の正確度を大きく増すことなく式を複雑化する可能性がある。
【００３６】
ある特定の製品の計算に使用すべき適当な数の部分／線分を決めた後、実際の栄養放出に適合する滑らかな曲線を得るために、各温度および各部分／線分について拡散係数を計算する。他の温度における拡散係数を外挿してプロットし、滑らかな曲線を形成してもよい。次に、データを、放出曲線の部分／線分分割に対応する拡散係数表（DC表）に書き込んでもよい。例えば、ポリマーコート尿素について、データを6個のDC表に書き入れてもよい。好ましい実施例では、POLYONポリマーコート尿素を肥料製品として利用する場合、ＤＣ表1は、０−５０％放出を持つ放出曲線線分のデータを含む。ＤＣ表２は、５０％−６３．５％放出を持つ放出曲線線分のデータを含む。ＤＣ表３は、６３．５−７５％放出を持つ放出曲線線分のデータを含む。ＤＣ表４は、７５−８４％放出を持つ放出曲線線分のデータを含む。ＤＣ表５は、８４％−９３％放出を持つ放出曲線線分のデータを含む。ＤＣ表６は、９３−１００％放出を持つ放出曲線線分のデータを含む。
【００３７】
次に、各製品に関する栄養放出データおよび拡散係数データを、従来技術で既知の、適当な任意の媒体、例えば、プロバイダー・コンピュータのデータベース、または、ＣＤ−ＲＯＭに保存してもよい。保存媒体、例えば、プロバイダー・コンピュータまたはＣＤ−ＲＯＭはまた、請求の都市要求フィールドにおける選択肢として利用が可能な都市の各週温度を保存してもよい。例えば、カナダ、アイルランド、メキシコ、英国、およびアメリカ合衆国における可能な都市選択肢の各週温度を、保存媒体、すなわち、プロバイダー・コンピュータのデータベースおよび／またはＣＤ−ＲＯＭに保存してもよい。
【００３８】
図１を参照すると、クライアント・コンピュータによる請求の完了時点でルーチンを実行するに当たり、請求のパラメータ要求フィールドにおいて入力された情報が処理される。肥料適用日付、肥料適用の都市および国を処理するに際して、例えば、プロバイダー・コンピュータまたはＣＤ−ＲＯＭ上のソフトウェア・プログラムは、特定の保存日付を参照して、肥料適用の指定週、および、肥料性能分析結果の、その後の各連続時間間隔における予想温度を抽出する。次に、栄養放出に関する保存データ、および拡散係数データがアクセスされ、それぞれの保存媒体から抽出される。前述のデータは、従来技術で既知の、適当な任意のやり方で抽出されてよい。
【００３９】
適当な拡散係数データを用いて、肥料性能分析の各時間間隔における栄養累積放出を求める。具体的には、最初の時間間隔における栄養累積放出を求め、適当なDC表から拡散係数を得、その時間間隔における栄養放出を計算し、次に、全体栄養放出を累積し、適用日付以来その時間間隔に至るまでの栄養累積放出に到達する。この過程を、連続時間間隔毎に繰り返し、これを、肥料の栄養累積放出が１００％になるまで行う。この１００％となった時点で、肥料性能分析は完了し、その結果は、クライエント・コンピュータによって受領される。
【００４０】
図１に示し、上に詳述したように、拡散係数は、適当なＤＣ表から抽出される。図２を参照すると、ポリマーコート尿素であって、栄養累積放出が５０％未満である場合、拡散係数はＤＣ表１から抽出される。栄養累積放出が５０％−６３．５％の間にある場合、拡散係数はＤＣ表２から抽出される。栄養累積放出が６３．５％−７５％の間にある場合、拡散係数はＤＣ表３から抽出される。栄養累積放出が７５％−８４％の間にある場合、拡散係数はＤＣ表４から抽出される。栄養累積放出が８４％−９３％の間にある場合、拡散係数はＤＣ表５から抽出される。栄養累積放出が９３％−１００％の間にある場合、拡散係数はＤＣ表６から抽出される。一旦肥料の栄養累積放出が１００％となったならば、ルーチンと肥料性能分析は完了し、肥料性能分析結果は、請求を完全記入したクライアント・コンピュータによって受領される。
【００４１】
肥料性能分析結果は、時間について肥料から放出される栄養素の量；時間について土壌に対する肥料栄養素の放出速度；土壌に対する肥料の推奨適用率；肥料の再適用の時季；土壌に対する栄養素の迅速放出のパーセント；時間間隔当たりの、土壌に対する栄養素の平均放出；土壌に対する栄養素の、例えば、各時間間隔における累積放出；好ましくは週毎の肥料の栄養寿命；好ましくは１０００平方フィート当たりの肥料のポンド（ポンド／１０００フィート２）、または１００平方メートル当たりの肥料のキログラム(ｋｇ／１００ｍ２)で表した肥料拡散速度；肥料の必要全体量；必要な肥料袋の合計量；栄養素放出量が、肥料処理環境において好ましい生育条件を維持するのに必要なレベル以下に低下する時点を示すインディケータ；または、これらの任意の組み合わせを含む。好ましい実施例では、栄養放出率は、１０００平方フィート当たりのポンドで表した栄養素（ポンド／１０００フィート２）、または１００平方メートル当たりのキログラムで表した栄養素(ｋｇ／１００ｍ２)で表示されるのが好ましい。肥料栄養素は、窒素、リン酸、カリ、その他の適当な任意の肥料栄養素、またはそれらの任意の組み合わせの内の少なくとも１つを含むことが好ましい。土壌に対する肥料栄養素の推奨適用率は、１０００平方フィート当たりのポンドで表した栄養素（ポンド／１０００フィート２）、または１００平方メートル当たりのキログラムで表した栄養素(ｋｇ／１００ｍ２)で表示されるのが好ましい。再適用のタイミングは、請求において入力された複数のパラメータ要求の分析によって決定される。
【００４２】
肥料性能分析結果は、クライアント・コンピュータにおいて表形式またはグラフ形式で表示されてもよい。表形式の場合、肥料性能分析結果は、肥料処理の開始／適用日付を表示し、適用日付から時間間隔だけ、好ましくは連続週毎に、延長するのが好ましい。時間間隔毎に、表の分析結果は、その時間間隔において放出される栄養素、例えば、窒素またはカリの量、および、肥料に残留する栄養素、例えば、窒素またはカリの量を表示することが好ましい。栄養素の放出量および残留量は、１０００平方フィート当たりのポンドで表した栄養素（ポンド／１０００フィート２）、または１００平方メートル当たりのキログラムで表した栄養素(ｋｇ／１００ｍ２)で表示されるのが好ましい。時間が進むにつれて、肥料中の栄養素は枯渇するが、これは、表中の分析結果の終末によって明らかにされる。
【００４３】
好ましい実施例では、表は、肥料がもはや無効である時点、すなわち、栄養放出が、肥料が適用される土壌環境において好ましい生育条件を維持するのに必要なレベル以下に低下する時点を示す。このインディケータは、適当なものであれば、どのようなインディケータ、または表示手段であってもよく、例えば、インディケータ要求フィールド、表分析結果の色の変化、例えば、赤、黄、または薄緑への変化、あるいは、表の適当な位置に挿入されるインディケータ線であってもよいが、ただしこれらに限定されない。
【００４４】
グラフ形式の場合、肥料性能分析結果は、ある指定の長さに渡って、好ましくは連続週毎に、肥料における栄養素、例えば、窒素またはカリの残留量を表示するのが好ましい。好ましい実施例では、肥料中に残留する栄養素の量が、好ましくは１０００平方フィート当たりのポンドで表した栄養素（ポンド／１０００フィート２）、または１００平方メートル当たりのキログラムで表した栄養素(ｋｇ／１００ｍ２)として、グラフのY軸にプロットされ、寿命が、好ましくは週毎に、X軸に表示される。グラフはまた、肥料がもはや無効である時点、すなわち、栄養放出が、肥料が適用される環境において好ましい生育条件を維持するのに必要なレベル以下に低下する時点を示す。このインディケータは、適当なものであれば、どのようなインディケータ、または表示手段であってもよく、例えば、インディケータ要求フィールド、プロットされたグラフ分析結果の色の変化、例えば、赤、黄、または薄緑への変化、あるいは、グラフの適当な位置に挿入されるインディケータ線であってもよいが、ただしこれらに限定されない。
【００４５】
一旦クライアント・コンピュータが、肥料性能分析結果を受領したならば、上に詳述したのと同じやり方で新規の請求を完全記入してもよい。新規の請求を準備するに際して、複数のパラメータ要求を、新しい情報で再入力してもよい。別の実施例として、新規肥料分析が同じ施設のために行われるのであれば、１組の最初のパラメータ要求フィールドは編集せずに残し、新しい栄養計算シートのパラメータ要求フィールドのみを入力してもよい。この新規情報は、以前の栄養計算シートのパラメータ要求フィールドに入力してもよいし、あるいは、新規栄養計算シートに入力してもよい。肥料性能分析結果が、前の肥料分析結果の結末、または、再適用時季から連続する場合には、請求の順序数フィールドの番号タブを選択することによって新規栄養計算シートを利用するようにしてもよい。新規栄養計算シートを利用することによって、前の栄養計算シート、それから得られた肥料性能分析結果は、一次的にクライアント・コンピュータに保持され、追加の肥料分析結果はそれに付け加えられる。
【００４６】
新規栄養計算シートのパラメータ要求フィールドは、上述のように入力されてよい。一旦完全記入されたならば、上述のように「計算せよ」フィールドを選択してもよい。次に、ルーチンが実行されて、新規請求の複数のパラメータ要求を、前述のものと同じやり方で分析する。ルーチンが完了した時点で、複数のパラメータ要求に入力された新規情報に基づく肥料分析結果が、前述のように、クライアント・コンピュータによって受領される。
【００４７】
さらに肥料性能分析を実行する場合、前述のように、順序数フィールドの次の番号タブを選ぶことによって、新規栄養計算シートを続けて利用してもよい。この過程は、適当な任意の回数繰り返してもよい。その場合、以前の各肥料性能分析結果は一次的にクライアント・コンピュータによって保持される。以前に保持された肥料分析結果を、順序数フィールド中の「組み合わせ」フィールドを選択することによって組み合わせることも可能である。
【００４８】
分析、または一連の分析の完了した後で、将来の使用に備えて、または参照のために、どれかの肥料性能分析結果を保持する必要のある場合、その分析結果を、コンピュータにファイルをセーブする場合の従来のやり方に従って、クライアント・コンピュータにセーブしてもよいし、あるいは、従来技術で既知の他の任意のデータ保存装置に保存してよい。
［実施例］
【００４９】
下記は、本発明を用いた実施例である。この実施例は、本発明を具体的に説明することを意図するものであって、本発明を限定することを意図するものではない。実施例は、あるゴルフコース管理者によって、彼がシーズン用の肥料プログラムを作成するに際して支援のために本発明が使用される状況を例示する。管理者は、選択されたウェブサイトに進みログイン名およびパスワードを入力することによって、あるいは、選択されたCD-ROMを彼のコンピュータに挿入することによって、本肥料性能分析を開始してよい。管理者は、肥料性能分析のために、請求における複数のパラメータ要求に必要な情報を入力する。次に、ルーチンが実行され、管理者に肥料性能分析の結果が支給される。管理者は、様々の肥料適用を試行するためにパラメータ要求を変えてもよい。本発明を利用することによって、管理者は、試行錯誤によるのではなくて、彼の要求に合わせて彼のゴルフコース用肥料プログラムを調整することが可能である。本発明は、このゴルフコース管理者に対し、実質的な資源の節約を可能とする。
【実施例１】
【００５０】
アメリカ合衆国．アラバマ州．ファイェッテビル（Fayetteville）のFARMLINKS（登録商標）ゴルフコースの管理者は、フェアウェイを夏に向けて好ましい条件に維持するためにシーズン用の肥料プログラムを作成したいと願っている。彼は、４月の最終週の肥料を適用したいと思っているが、８月半ばまで肥料を再適用したくないと思っている。彼は、彼の目的を達成するために、使用すべき肥料ブレンド、使用すべき肥料等級、および、使用すべき窒素の適用率を決定、または確認したいと思っている。
【００５１】
管理者は、試行錯誤に付随する問題に触れることなく彼の目的を決定または確認するために本発明を使用する。管理者は、本発明を搭載するＣＤ−ＲＯＭを用いて、請求上のパラメータ要求に、データ、すなわち、あらかじめ選択された情報を入力する。請求のパラメータ要求フィールドにデータを入力すると、ルーチンが実行される。次に、管理者は、請求に入力されたパラメータ要求に基づく肥料分析結果を受け取る。管理者は、これらの結果を検閲する。請求に入力されたデータが、管理者に好ましい結果を与えない場合、彼は、パラメータ要求に入力されたデータを、好ましい結果を受領するまで修正する。次に、管理者は、このゴルフコースの今シーズンの肥料プログラムのために使用する、肥料ブレンド、肥料等級、窒素の適用率、再適用時季等を知る。下記は、管理者によって入力され、彼の要求に基づく好ましい肥料プログラムを管理者に与えた、データの例である。
【００５２】
最初のパラメータ要求フィールドにおいて、管理者は下記のデータを入力する。
施設タイプ：ゴルフコース；計算単位：英国式；芝草タイプ：暖地型；国別：合衆国；州別：アラバマ；および、都市：ファイェッテビル（Fayetteville）/FARMLINKS(登録商標)。
【００５３】
次に、管理者は、肥料計算シートの作成につながる「入力せよ」フィールドを選択する。具体的には、管理者は、この分析のために窒素計算シートを選択する。窒素計算シートでは、管理者は、FARMLINKSゴルフコースの背景情報、例えば、名前、住所、電話番号等を入力した後、下記の好ましいデータを入力する。
処理すべきエーカー数：１０；肥料等級分析窒素パーセント：２０、リン酸：５、カリ：１０；肥料粒径：レギュラー；POLYON肥料栄養等級：４２、４４；パーセントPOLYON肥料栄養等級：１００、０；製品：POLYON PCU；適用日付：２００４年４月２７日；栄養適用率（窒素のポンド／１０００フィート２）：１．５、および、温度補正：０。
【００５４】
次に管理者は、「計算せよ」フィールドを選択し、肥料性能分析結果を受領する。これらの結果は下記を含むことが好ましい。
土壌に対する窒素の迅速放出パーセント：０．００；肥料拡散率（ポンド／１０００フィート２）：７．５０；必要肥料合計トン：１．６３；肥料の５０ポンド袋必要数：６６；土壌に対する、週当たり窒素の平均放出（ポンド）：０．０７；肥料の栄養寿命（週）：１７；および、推薦再適用時季：１７週目（２００４年８月１７日）。
【００５５】
管理者はまた、好ましくは下記のような、分析結果の各週において肥料から放出される窒素の量、および、肥料から放出されるために残留する窒素の量も受領する。
放出N  残留N
4/27/04   1週目  0.01   1.48
5/04/04   2週目  0.06   1.42
5/11/04   3週目  0.07   1.35
5/18/04   4週目  0.08   1.27
5/25/04   5週目  0.08   1.19
6/01/04   6週目  0.09   1.11
6/08/04   7週目  0.09   1.01
6/15/04   8週目  0.10   0.92
6/22/04   9週目  0.10   0.82
6/29/04   10週目 0.10   0.71
7/06/04   11週目 0.09   0.62
7/13/04   12週目 0.09   0.53
7/20/04   13週目 0.06   0.47
7/27/04   14週目 0.06   0.40
8/03/04   15週目 0.06   0.34
8/10/04   16週目 0.05   0.29
8/17/04   17週目 0.05   0.25
8/24/04   18週目 0.05   0.20
8/31/04   19週目 0.03   0.17
9/07/04   20週目 0.03   0.14
9/14/04   21週目 0.03   0.11
9/21/04   22週目 0.03   0.09
9/28/04   23週目 0.02   0.07
10/05/04  24週目 0.01   0.06
10/12/04  25週目 0.01   0.05
10/19/04  26週目 0.01   0.04
10/26/04  27週目 0.01   0.03
11/02/04  28週目 0.01   0.02
11/09/04  29週目 0.01   0.01
11/16/04  30週目 0.01   0.00
11/23/04  31週目 0.00   0.00
【００５６】
この肥料性能分析および結果は、管理者に、今シーズンの肥料プログラムのための彼の好ましい目的に合致する、肥料ブレンド、肥料等級、窒素の適用率、推薦再適用時季等を提供する。すなわち、推薦肥料再適用時季は、２００４年８月１７日の週内であり、これが、管理者の再適用目的に合致する。
【実施例２】
【００５７】
アメリカ合衆国．アラバマ州．ファイェッテビル（Fayetteville）のFARMLINKSゴルフコースは、８月後半のゴルフトーナメントのスポンサーとなる予定であり、トーナメントのためにフェアウェイの芝草が緑で、健康で、最適条件にあることを望んでいる。FARMLINKSゴルフコースの管理者は、付随問題のために、トーナメントの少し前に肥料を再適用する必要のないことを望んでいる。従って、ゴルフコース管理者は、肥料性能、特に再適用時季を予測するために、また、彼の要求に合致する適当な肥料要件を決定するために、本発明を使用する。本実施例は、肥料性能分析結果の中に、肥料再適用時季、再適用時季から見られる肥料から放出される窒素量および再適用時季から見られる肥料からまだ放出されていない残留窒素量が含まれる本発明を具体的に説明する。
【００５８】
管理者は、彼の目的を達成するために、および、計算間違いや、試行錯誤を避けるために本発明を用いる。管理者は、本発明を有するＣＤ−ＲＯＭを用いて、実施例１の場合のように請求上のパラメータ要求にデータを入力する。請求のパラメータ要求フィールドにデータを入力した後、ルーチンが実行される。次に、管理者は肥料分析結果を受け取る。請求に入力されたデータが、管理者に好ましい結果を与えない場合は、彼は、好ましい肥料性能を入手するまで、入力されたデータを修正し、プログラムを再度実行してもよい。管理者は、今シーズンのゴルフコースの肥料プログラムのために、特に、ゴルフコースがトーナメントのために純潔状態にあるのを確保するために、本発明を用いて好ましい肥料ブレンド、肥料栄養等級、窒素の適用率、再適用時季等を決めてもよい。
【００５９】
最適な緑のフェアウェイを実現するための肥料の適用および再適用を決めるために、管理者は最終的に下記を用いてもよい。
最初のパラメータ要求フィールドにおいて、管理者は下記のデータを入力する。
施設タイプ：ゴルフコース；計算単位：英国式；芝草タイプ：暖地型；国別：合衆国；州別：アラバマ；および、都市：ファイェッテビル（Fayetteville）/FARMLINKS(登録商標)。
【００６０】
次に、管理者は、肥料計算シートの作成につながる「入力せよ」フィールドを選択する。管理者は、この分析のために窒素計算シートを選択する。窒素計算シートでは、管理者は、（FARMLINKSゴルフコースの背景情報、例えば、名前、住所、電話番号等を入力した後）下記のデータを入力する。
処理すべきエーカー数：１０；肥料等級分析窒素パーセント：４１、リン酸：０、カリ：０；肥料粒径：ミニ；POLYON肥料栄養等級：４１、４１；パーセントPOLYON肥料栄養等級：１００、０；製品：POLYON４１ミニ；適用日付：２００４年３月２日；栄養適用率（窒素のポンド／１０００フィート２）：２．０、および、温度補正：０。
【００６１】
次に管理者は、「計算せよ」フィールドを選択し、肥料性能分析結果を受領する。これらの結果は下記を含むことが好ましいが、ただしそれらに限定されない。
土壌に対する窒素の迅速放出パーセント：０．００；肥料拡散率（ポンド／１０００フィート２）：４．８８；必要肥料合計トン：１．０６；肥料の５０ポンド袋必要数：４２．４４；週当たり窒素の平均放出（ポンド）：０．０８；肥料の栄養寿命（週）：２２；および、推薦再適用時季：２２週目（２００４年７月２７日）。
【００６２】
管理者はまた、好ましくは下記のような、各週において肥料から放出される窒素の量、および、肥料から放出されるために残留する窒素の量を受領する。
放出N  残留N
3/02/04   1週目  0.00   2.00
3/09/04   2週目  0.04   1.96
3/16/04   3週目  0.05   1.91
3/23/04   4週目  0.05   1.86
3/30/04   5週目  0.06   1.80
4/06/04   6週目  0.06   1.74
4/13/04   7週目  0.07   1.67
4/20/04   8週目  0.07   1.60
4/27/04   9週目  0.08   1.52
5/04/04   10週目 0.09   1.43
5/11/04   11週目 0.09   1.34
5/18/04   12週目 0.10   1.24
5/25/04   13週目 0.10   1.14
6/01/04   14週目 0.12   1.02
6/08/04   15週目 0.12   0.90
6/15/04   16週目 0.12   0.78
6/22/04   17週目 0.12   0.66
6/29/04   18週目 0.08   0.58
7/06/04   19週目 0.08   0.50
7/13/04   20週目 0.07   0.43
7/20/04   21週目 0.07   0.36
7/27/04   22週目 0.07   0.29
8/03/04   23週目 0.05   0.24
8/10/04   24週目 0.05   0.19
8/17/04   25週目 0.04   0.15
8/24/04   26週目 0.03   0.12
8/31/04   27週目 0.03   0.09
9/07/04   28週目 0.03   0.06
9/14/04   29週目 0.02   0.04
9/21/04   30週目 0.02   0.02
9/28/04   31週目 0.02   0.00
【００６３】
これらの結果は、好ましい適用日付、および再適用日付、すなわち、２２週目（２００４年７月２７日）の再適用日付を提供する。この日付は、ゴルフトーナメントの前であり、肥料再適用として彼の受容できる時季の中にある。次に、管理者は、コースのために第2の計算を入力したいと思う。彼は、新しい窒素計算シートの利用を可能とする、本発明の計算方式の組み合わせを使用する。この新規の窒素計算シートでは、推奨再適用時季２００４年７月２７日が、プログラムによって、適用日付パラメータ要求フィールドに入力され、次にユーザーもまた下記のデータを入力する。
処理すべきエーカー数：１０；肥料等級分析窒素パーセント：４３、リン酸：０、カリ：０；肥料粒径：ミニ；POLYON肥料栄養等級：４３、４３；パーセントPOLYON肥料栄養等級：１００、０；製品：POLYON４３ミニ；栄養適用率（窒素のポンド／１０００フィート２）：１．０、および、温度補正：０。
【００６４】
管理者は、「計算せよ」フィールドを選択し、肥料性能分析結果を受領する。次に、管理者は、「組み合わせよ」フィールドを選択し、第１肥料性能分析と第２肥料性能分析の組み合わせによって得られた結果を受領する。肥料から放出される窒素の量、および、肥料から放出されるために残留する窒素の量は下記の通り。
放出N  残留N
3/02/04   1週目  0.00   2.00
3/09/04   2週目  0.04   1.96
3/16/04   3週目  0.05   1.91
3/23/04   4週目  0.05   1.86
3/30/04   5週目  0.06   1.80
4/06/04   6週目  0.06   1.74
4/13/04   7週目  0.07   1.67
4/20/04   8週目  0.07   1.60
4/27/04   9週目  0.08   1.52
5/04/04   10週目 0.09   1.43
5/11/04   11週目 0.09   1.34
5/18/04   12週目 0.10   1.24
5/25/04   13週目 0.10   1.14
6/01/04   14週目 0.12   1.02
6/08/04   15週目 0.12   0.90
6/15/04   16週目 0.12   0.78
6/22/04   17週目 0.12   0.66
6/29/04   18週目 0.08   0.58
7/06/04   19週目 0.08   0.50
7/13/04   20週目 0.07   0.43
7/20/04   21週目 0.07   0.36
7/27/04   22週目 0.10   1.26
8/03/04   23週目 0.18   1.08
8/10/04   24週目 0.17   0.91
8/17/04   25週目 0.16   0.75
8/24/04   26週目 0.15   0.60
8/31/04   27週目 0.13   0.47
9/07/04   28週目 0.12   0.35
9/14/04   29週目 0.08   0.27
9/21/04   30週目 0.07   0.20
9/28/04   31週目 0.04   0.16
10/05/04  32週目 0.02   0.14
10/12/04  33週目 0.02   0.12
10/19/04  34週目 0.02   0.10
10/26/04  35週目 0.02   0.08
11/02/04  36週目 0.01   0.07
11/09/04  37週目 0.01   0.06
11/16/04  38週目 0.01   0.05
11/23/04  39週目 0.01   0.04
11/30/04  40週目 0.01   0.03
【００６５】
これらの結果は、管理者の好ましいとする肥料性能目的に合致する。上に示したように、２２週目（２００４年７月２７日）、ゴルフトーナメントの数週間前に、上に詳述したように、肥料を再適用すればよい。それによって、８月末のFARMLINKSゴルフトーナメントのためにゴルフコースのフェアウェイは好ましい条件に置かれることになる。
【実施例３】
【００６６】
肥料の実行は、各種気候において種々に変化する場合がある。そのために、調節放出肥料等級が、肥料の選択に際して重要な役割を果たすことがある。例えば、肥料は、温暖シーズンの芝草に対するのと同じ結果を、寒冷シーズンの芝草に対して与えないかもしれない。それゆえ、本発明は、温暖および寒冷シーズンの芝草に対する肥料性能を決定するに際して有利である。本実施例は、本発明を利用する寒冷シーズン芝草タイプに対する肥料性能分析結果を例示する。
【００６７】
ペンシルバニア州．ピッツバーグのゴルフコースの管理者は、前述の実施例に概略される通りに、本発明を、中でも特に、後述するように、肥料性能および肥料再適用時点を定めるために使用する。彼女は、請求の最初のパラメータ要求フィールドに下記のデータを入力する。
施設タイプ：ゴルフコース；計算単位：英国式；芝草タイプ：寒地型；国別：合衆国；州別：ペンシルバニア、および、都市：ピッツバーグ。次に、彼女は、肥料計算シート、好ましくは窒素計算シートの作成につながる「入力せよ」フィールドを選択する。窒素計算シートでは、管理者は、彼女のゴルフコースの一般情報、例えば、名前、住所、電話番号等を入力した後、下記の好ましいデータを入力する。
処理すべきエーカー数：１０；肥料等級分析窒素パーセント：２０、リン酸：５、カリ：１０；肥料粒径：基準；POLYON肥料栄養等級：４３、４４；パーセントPOLYON肥料栄養等級：１００、０；製品：POLYON PCU；適用日付：２００４年４月９日；栄養適用率（窒素のポンド／１０００フィート２）：1.5、および、温度補正：０。次に、彼女は「計算せよ」フィールドを選択し、肥料性能分析結果を受領する。これらの結果は下記を含む。
土壌に対する窒素の迅速放出パーセント：０．００；肥料拡散率（ポンド／１０００フィート２）：７．５０；必要肥料合計トン：１．６３；肥料の５０ポンド袋必要数：６５．２５；週当たり窒素の平均放出（ポンド）：０．０７；肥料の栄養寿命（週）：１７；および、推薦再適用時季：１７週目（２００４年７月３０日）。放出窒素の量、および肥料から放出される残留窒素の量は下記の通りである。
放出N  残留N
4/09/04   1週目  0.00   1.50
4/16/04   2週目  0.04   1.46
4/23/04   3週目  0.05   1.41
4/30/04   4週目  0.05   1.36
5/07/04   5週目  0.07   1.29
5/14/04   6週目  0.07   1.22
5/21/04   7週目  0.08   1.14
5/28/04   8週目  0.09   1.06
6/04/04   9週目  0.09   0.96
6/11/04   10週目 0.10   0.86
6/18/04   11週目 0.10   0.76
6/25/04   12週目 0.11   0.65
7/02/04   13週目 0.10   0.56
7/09/04   14週目 0.10   0.46
7/16/04   15週目 0.07   0.39
7/23/04   16週目 0.07   0.33
7/30/04   17週目 0.05   0.28
8/06/04   18週目 0.05   0.22
8/13/04   19週目 0.03   0.19
8/20/04   20週目 0.03   0.16
8/27/04   21週目 0.03   0.13
9/03/04   22週目 0.03   0.10
9/10/04   23週目 0.02   0.08
9/17/04   24週目 0.02   0.07
9/24/04   25週目 0.01   0.05
10/01/04  26週目 0.01   0.04
10/08/04  27週目 0.01   0.03
10/15/04  28週目 0.01   0.02
10/22/04  29週目 0.01   0.01
10/29/04  30週目 0.01   0.01
11/05/04  31週目 0.00   0.00
11/12/04  32週目 0.00   0.00
11/19/04  33週目 0.00   0.00
【００６８】
この肥料性能分析および結果は、管理者に、今シーズンの肥料プログラムのための彼女の好ましい目的に合致する、肥料栄養等級、窒素の適用率、推薦再適用時季等を提供する。すなわち、管理者が肥料を再適用すべき推薦肥料再適用時季は、２００４年７月３０日の週内である。
【００６９】
好ましいパラメータ要求フィールドは前述したが、記載されていない、他の適当なパラメータ要求も含めることは可能であり、本発明による肥料性能分析結果を得るために入力してもよい。そのため、土壌はどんな栄養素を要求しているかを判断するために、かつ、推薦／指示肥料および適用日付を得るために、土壌豊饒性データおよび情報を入力してもよい。例えば、カリが望ましい栄養素である場合には、土壌サンプルを分析して土壌分析を提供することも考えられる。次に、このデータを、適当なパラメータ要求フィールドに入力することが考えられる。次に、本発明の方法が、上に詳述した肥料分析を提供することが考えられる。
【００７０】
本発明の方法を、好ましい製品として調節放出型肥料に基づいて記載してきたが、適当であれば、いずれの調節放出型製品、例えば、殺虫剤、例えば、昆虫用殺虫剤、殺真菌剤、および／または、除草剤を（ただしこれらに限定されないが）、本発明に従って、前記説明の範囲内に属するものとして利用してもよい。調節放出製品および対応する活性剤に関するパラメータ要求または分析結果の改定法は明白であり、これも、前述の説明の範囲内に属する。さらに、本発明の方法を、芝草以外の他の応用、例えば、植物養護応用および、他の適当な農業応用に使用してもよい。
【００７１】
本明細書に開示される例示の実施例は、網羅的であることを意図したものではなく、あるいは、本発明の範囲を不必要に限定することを意図するものでもない。例示の実施例は、当業者等が本発明を実行できるよう本発明の原理を説明するために選択され、記載されたものである。当業者には明らかなように、前述の説明の範囲内で各種の修正を実行することが可能である。当業者の能力の範囲内にあるそのような修正は、本発明の一部を形成するものであり、添付の特許請求の範囲の中に含まれる。
【図面の簡単な説明】
【００７２】
【図１】本発明の肥料性能分析結果において、各時間間隔で放出される栄養素の量、および肥料に残留する栄養素の量を計算するために用いられる工程の実施例を示すフローチャートである。
【図２】単一栄養（窒素）肥料製品として尿素を利用する、図１によるフローチャートである。
【図１】
2007535072.tif 000003
【図２】
2007535072.tif 000004
【国際調査報告】
2007535072.tif 000005
2007535072.tif 000006